(57)【要約】【課題】液晶表示装置の反射部材に適用しても、優れた反射性能を発揮することができる反射部材及びそれを用いた液晶表示装置を提供すること。【解決手段】本発明の反射部材１は、平面視方向の形状が略長軸方向に沿う直線部を有する楕円形状である複数の第１凹部１１と、第１凹部１１間に配置された第２凹部１２とを有する。【選択図】図１
2007139897.tif 000002
【特許請求の範囲】
【請求項１】
反射性能を有する材料で構成された部材本体と、前記部材本体上に設けられ、平面視方向の形状が略長軸方向に沿う直線部又は曲線部を有する略楕円形状である複数の第１凹部と、前記部材本体上に設けられ、前記第１凹部間に配置された第２凹部と、を具備することを特徴とする反射部材。
【請求項２】
前記第２凹部は、平面視方向の形状が略円形状であることを特徴とする請求項１記載の反射部材。
【請求項３】
前記第２凹部は、平面視方向の形状が略長軸方向に沿う直線部又は曲線部を有する略楕円形状であることを特徴とする請求項１記載の反射部材。
【請求項４】
前記第２凹部の形状における最大径は、前記第１凹部の長径よりも小さいことを特徴とする請求項３記載の反射部材。
【請求項５】
前記部材本体の面積における前記第１凹部の面積が３０〜９０％であることを特徴とする請求項１から請求項４のいずれかに記載の反射部材。
【請求項６】
互いに対向する一対の基板と、前記一対の基板の一方の基板上に配置された請求項１から請求項５のいずれかに記載の反射部材と、前記一対の基板間に挟持された液晶層と、を具備することを特徴とする液晶表示装置。
【発明の詳細な説明】
【技術分野】
【０００１】
本発明は反射部材及びそれを用いた液晶表示装置に関し、特に、優れた反射特性を有する反射部材及びそれを用いた液晶表示装置に関する。
【背景技術】
【０００２】
携帯電話や携帯用ゲーム機などの携帯電子機器では、そのバッテリ駆動時間が使い勝手に大きく影響するために、消費電力を抑えることができる反射型液晶表示装置を表示ディスプレイとして用いている。反射型液晶表示装置は、例えば、その前面から入射する外光を全反射させる反射部材や、その前面から入射する外光を反射するとともに後方からのバックライト光を透過させる反射部材などを備えている。このような反射部材としては、反射効率を最大限まで高めるために、多数の微細な凹部又は凸部を形成してなるものが知られている（特許文献１）。
【特許文献１】特開平７−１７６２８号公報
【０００３】
液晶表示装置のうち外光を反射するとともに後方からのバックライト光を透過させる半透過型液晶表示装置においては、表面に微細な凹部が多数形成された金属薄膜の一部に、バックライトからの光を液晶表示パネルに向けて透過させる開口（透過部）が形成されてなる反射部材が用いられる。このような反射部材においては、バックライト光を透過させる開口を有することから、反射部においてできるだけ効率良く光を反射させる必要がある。
【発明の開示】
【発明が解決しようとする課題】
【０００４】
しかしながら、上述したような従来の反射部材では、個々の凹部又は凸部の分布状態の制御が行われておらず、その反射特性が正反射角を中心にして狭い範囲で対称な形のいわゆるガウス分布型をなすので、半透過型液晶表示装置用の反射部材として開口を形成すると、広視角域の反射率が著しく低下してしまう。このため、このような反射部材を液晶表示装置に用いると、明るさが低下するとともに視野角が狭くなり、見やすさが著しく悪くなるという課題がある。
【０００５】
本発明はかかる点に鑑みてなされたものであり、液晶表示装置の反射部材に適用しても、優れた反射性能を発揮することができる反射部材及びそれを用いた液晶表示装置を提供することを目的とする。
【課題を解決するための手段】
【０００６】
本発明の反射部材は、反射性能を有する材料で構成された部材本体と、前記部材本体上に設けられ、平面視方向の形状が略長軸方向に沿う直線部又は曲線部を有する略楕円形状である複数の第１凹部と、前記部材本体上に設けられ、前記第１凹部間に配置された第２凹部と、を具備することを特徴とする。
【０００７】
この構成によれば、反射部材に、平面視方向の形状が略長軸方向に沿う直線部を有する楕円形状である複数の第１凹部を設け、さらに第１凹部間に第２凹部を設けることにより、反射性能を向上させると共に、光拡散性能をも向上させることができ、反射部材を液晶表示装置の反射部材に適用しても、優れた反射性能を発揮することができる。
【０００８】
本発明の反射部材においては、前記第２凹部は、平面視方向の形状が略円形状であることが好ましい。また、本発明の反射部材においては、平面視方向の形状が略長軸方向に沿う直線部又は曲線部を有する略楕円形状であることが好ましい。この構成によれば、第２凹部においても第１凹部と同じ効果を発揮するので、より反射性能を向上させることが可能となる。
【０００９】
本発明の反射部材においては、前記第２凹部の形状における最大径は、前記第１凹部の長径よりも小さいことが好ましい。
【００１０】
本発明の反射部材においては、前記部材本体の面積における前記第１凹部の面積が３０〜９０％であることが好ましい。
【００１１】
本発明の液晶表示装置は、互いに対向する一対の基板と、前記一対の基板の一方の基板上に配置された上記反射部材と、前記一対の基板間に挟持された液晶層と、を具備することを特徴とする。この構成によれば、反射部材が、平面視方向の形状が略長軸方向に沿う直線部又は曲線部を有する略楕円形状である複数の第１凹部及び第１凹部間に配置された第２凹部を有するので、反射性能を向上させると共に、光拡散性能をも向上させることができる。したがって、優れた反射性能を発揮することができる。
【発明の効果】
【００１２】
本発明の反射部材によれば、反射性能を有する材料で構成された部材本体と、前記部材本体上に設けられ、平面視方向の形状が略長軸方向に沿う直線部又は曲線部を有する略楕円形状である複数の第１凹部と、前記部材本体上に設けられ、前記第１凹部間に配置された第２凹部と、を具備するので、液晶表示装置の反射部材に適用しても、優れた反射性能を発揮することができる。
【発明を実施するための最良の形態】
【００１３】
以下、本発明の実施の形態について添付図面を参照して詳細に説明する。
図１は、本発明の実施の形態に係る反射部材を示す概略平面図である。この反射部材１は、平面視方向の形状が略長軸方向に沿う直線部又は曲線部を有する略楕円形状である複数の第１凹部１１と、第１凹部１１間に配置された第２凹部１２とを有する。
【００１４】
反射部材１は、反射性能を有する材料、例えばアルミニウムなどからなる金属薄膜で構成される。反射部材１に第１及び第２凹部１１，１２を形成する方法としては、例えば金属製のブロックをマスタブランクスとして、その表面に第１又は第２凹部１１，１２に対応した凸部を有する微小加工ツールで加工し、こうして得られた表面から型取りをして得られる加工型を用いて形状加工を行う方法が挙げられる。この場合、微小加工ツールでブロックの表面に加工する際に、第１及び第２凹部１１，１２の形状（深さ、ピッチ、断面形状など）を制御する。
【００１５】
図２は、第１凹部１１を示す拡大図であり、（ａ）は平面図であり、（ｂ）はＸ線に沿う断面図であり、（ｃ）はＹ線に沿う断面図である。図２（ａ）に示すように、第１凹部１１は、その平面視方向における形状の輪郭Ｓが略楕円形状を有する。さらに、この輪郭Ｓは、略楕円形状の長軸方向に沿って直線部Ｌを有する。この直線部Ｌは、第１凹部１１の最深点Ｐ（図２（ａ），（ｂ）参照）を通る第１断面線Ｘに略平行である。また、第１凹部１１は、図３に示すように、輪郭Ｓよりも長径の長い略楕円形状の一部である曲線部Ｍを有する形状でも良い。
【００１６】
第１凹部１１は、最深点Ｐを通る第１断面線Ｘから深さ方向に広がる第１断面（図２（ｂ）参照）を基準にして非対称形状をなしており、この第１断面線Ｘに直交する第２断面線Ｙから深さ方向に広がる第２断面（図２（ｃ）参照）を基準にして略対称形状をなしている。そして、第１凹部１１は、図２（ｂ）に示す第１断面における最大傾斜角Ｒ１よりも、図２（ｃ）に示す第２断面における最大傾斜角Ｒ２の方が大きくなるように設定される。例えば、第１断面の最大傾斜角（第１断面の形状において最大の角度）Ｒ１は、観察者方向への反射強度や虹の発生を考慮すると、５°〜２５°の範囲にあるのが好ましく、例えば１３．５°に設定されるのが特に好ましい。また、第２断面の最大傾斜角Ｒ２は、観察者方向への反射強度や虹の発生を考慮すると、１５°〜２８°の範囲にあるのが好ましく、例えば１９．１°に設定されるのが特に好ましい。また、第１凹部１１の第１断面における曲率半径は、２μｍ〜４５μｍの範囲にあるのが好ましく、例えば４０μmに設定されるのが特に好ましい。また、第２断面における曲率半径は、１μｍ〜４０μｍの範囲にあるのが好ましく、例えば２０μmに設定されるのが特に好ましい。
【００１７】
第１凹部１１の輪郭Ｓから最深点Ｐまでの第１凹部１１の深さＤは、０．１μｍ〜３μｍの範囲にあるのが好ましく、例えば１．１μm程度に設定されることが特に好ましい。また、第１凹部１１の第１断面線Ｘ方向の幅Ａは、３μｍ〜４０μｍの範囲にあるのが好ましく、例えば１８．６μm程度に設定されることが特に好ましい。第１凹部３１の第２断面線Ｙ方向における直線部Ｌから第２断面線Ｙまでの幅Ｂ１は、０．１μｍ〜５μｍの範囲にあるのが好ましく、例えば２．０μm程度に設定されることが特に好ましく、第２断面線Ｙから輪郭Ｓの略楕円形状の頂部Ｑまでの幅Ｂ２は、１μｍ〜１５μｍの範囲にあるのが好ましく、例えば６．５μm程度に設定されることが特に好ましい。
【００１８】
第２凹部１２は、第１凹部１１間に効率良く配置することにより、反射部材１の反射性能を向上させることができる。反射部材１において、第１凹部１１のみを密に配置しようとする場合、第１凹部１１が重なってしまうことがある。このように第１凹部１１が重なってしまうと、上述したような第１凹部の輪郭Ｓを確保することができなくなり、第１凹部の効果を十分に発揮させることができなくなる恐れがある。一方、第１凹部１１間の間隔が広くなると、反射部材１１において平坦部分の割合が高くなり、正反射する領域が増えて光を拡散させる機能が低下する恐れがある。
【００１９】
本発明者らは上記の点に着目し、上記形状を有する第１凹部１１の間に効率良く第２凹部１２を設けることにより、第１凹部１１の形状の持つ反射性能を維持しつつ、しかも十分な光拡散性能を発揮させることを見出し、本発明をするに至った。
【００２０】
第２凹部１２の形状は、特に制限はない。例えば、図１に示すように、平面視方向における形状で略円形状でも良く、楕円形状でも良い。なお、図４（ａ）に示すように、第２凹部１２ａを、平面視方向の形状が略長軸方向に沿う直線部１２ｃを有する楕円形状、すなわち第１凹部１１と略同じような形状にすることにより、第２凹部１２においても第１凹部１１と同じ効果を発揮するので、より反射性能を向上させることが可能となる。
【００２１】
また、図４（ａ）に示す第２凹部１２ａは、直線部１２ｃを有するので、この直線部１２ｃを用いることにより、第１凹部１１と第２凹部１２ａとを効率良く配置することが可能となる。特に、第１凹部１１における直線部Ｌと第２凹部１２ａの直線部１２ｃとを略平行にして配置することにより、位置合わせも容易となり、しかも第１凹部１１間に第２凹部１２ａを効率良く配置することができる。このような観点から図４（ｂ）に示すように、２つの直線部１２ｃを有する第２凹部１２ｂを用いても良い。さらに、３つ以上の直線部を有する第２凹部を用いても良い。図４（ｂ）においては、第２凹部において円弧を有する幅Ａ１と残りの幅Ａ２を有する。
【００２２】
第２凹部１２の形状における最大径は、第１凹部１１の長径よりも小さいことが好ましい。このように設定することにより、第１凹部１１間の平坦部に第２凹部１２を効率良く配置することが可能となる。したがって、凹部同士が重ならずに、しかも効率良く第２凹部１２を配置するためには、第２凹部１２をできるだけ小さくすることが望ましい。具体的には、第２凹部１２の底面が球面である場合、平面視での全体面積における第２凹部１２の占有面積は５％〜８０％であることが好ましく、ピッチは０．５μｍ〜５０μｍであることが好ましく、最大径は０．５μｍ〜２０μｍであることが好ましく、深さは０．１μｍ〜２μｍであることが好ましく、平面視での曲率半径は１μｍ〜２０μｍであることが好ましい。
【００２３】
また、反射部材１の面積における第１凹部１１の面積は、３０〜９０％であることが好ましい。このように設定することにより、上述した第１凹部１１の形状に起因する反射性能を十分に発揮すると共に、光拡散性能をより高めることができる。また、反射部材１の面積における第１凹部１１の面積と第２凹部１２の面積との割合を変更することにより、反射部材の反射性能を制御することができる。すなわち、反射部材１の面積における第１凹部１１の面積の割合を多くすると、指向性を有する反射性能を重視した反射部材１を実現することができ、反射部材１の面積における第２凹部１２の面積の割合を多くすると、光拡散性能を重視した反射部材１を実現することができる。また、第１凹部１１同士のピッチは、第１凹部同士の重なり合いによる指向性を有する反射性能への影響を考慮すると、例えば２μｍ〜３０μｍの範囲にあるのが好ましい。
【００２４】
このように、反射部材１に、平面視方向の形状が略長軸方向に沿う直線部を有する略楕円形状である複数の第１凹部１１を設け、さらに第１凹部間に第２凹部１２を設けることにより、指向性を有する反射性能を向上させると共に、光拡散性能をも向上させることができ、反射部材１を液晶表示装置の反射部材に適用しても、優れた反射性能を発揮することができる。
【００２５】
ここで、本発明の反射部材の効果を明確にするために行った実施例について説明する。
（実施例１）
次のようなサイズを有する第１凹部１１及び第２凹部１２を備えた反射部材（実施例１）を作製した。なお、反射部材に第１凹部１１及び第２凹部１２を形成する場合には、次のサイズを有する第１凹部１１及び第２凹部１２に対応する圧子を反射部材用の板状体に圧印することにより行った。
【００２６】
第１凹部１１については、Ｒ１が１３．５°であり、Ｒ２が２０°であり、第１断面における曲率半径が３２μｍであり、第２断面における曲率半径が１４．５μｍであり、深さＤが０．９μｍであり、幅Ａが１５μｍであり、幅Ｂ１が２μｍであり、幅Ｂ２が５μｍである図２に示す形状とし、ピッチを７μｍ〜２０μｍとし、平面視での全体面積における第１凹部の占有面積が７０％になるようにした。また、第２凹部１２については、最大直径が２．１μｍであり、深さが０．１８μｍであり、曲率半径が３μｍである球面形状とし、ピッチを２μ〜２５μｍとし、平面視での全体面積における第２凹部の占有面積が２０％になるようにした。
【００２７】
実施例１の反射部材について反射特性を調べた。図５は、本発明に係る反射部材の反射特性を調べるための測定方法を説明するための図である。図５に示すように、反射部材１に対して入射角３０°で入射光を照射し、受光角を変えながら反射光の反射光量を測定する。そして、標準白色板に入射角３０°で入射光を照射したときに０°で受光する光量を１００％としたときの換算値を反射率とした。このような方法で実施例１の反射部材の反射率を測定した結果を図６に示す。図６に示すように、受光角が５°付近で反射率がピークとなり、ピークが正反射方向の３０°から小さい角度方向にシフトして、反射光が指向性を有している。また、反射率が０〜３５°の広い範囲にあることから光拡散性能が優れていることが分かる。したがって、実施例１に係る反射部材は、優れた反射性能を発揮し、表示として見栄えが良いものとなっている。
【００２８】
（実施例２）
次のようなサイズを有する第１凹部１１及び第２凹部１２を備えた反射部材（実施例２）を実施例１と同様にして作製した。第１凹部１１については、Ｒ１が１５°であり、Ｒ２が２０°であり、第１断面における曲率半径が１３．１μｍであり、第２断面における曲率半径が２６．１μｍであり、深さＤが０．９μｍであり、幅Ａが１３．５５μｍであり、幅Ｂ１が１．９μｍであり、幅Ｂ２が４．４８μｍである図２に示す形状とし、ピッチを６．４μｍ〜１５μｍとし、平面視での全体面積における第１凹部の占有面積が８５％になるようにした。また、第２凹部１２については、最大直径が２．４μｍであり、深さが０．２μｍであり、曲率半径が３．５μｍである球面形状とし、ピッチを２μ〜２０μｍとし、平面視での全体面積における第２凹部の占有面積が１５％になるようにした。
【００２９】
実施例２の反射部材について実施例１と同様に反射特性を調べたところ、図６に示すように、受光角が５°付近で反射率がピークとなり、ピークが正反射方向の３０°から小さい角度方向にシフトして、反射光が指向性を有しており、反射率が０〜３５°の広い範囲にあることから光拡散性能が優れていることが分かった。したがって、実施例２に係る反射部材は、優れた反射性能を発揮し、表示として見栄えが良いものとなっている。
【００３０】
（実施例３）
次のようなサイズを有する第１凹部１１及び第２凹部１２を備えた反射部材（実施例３）を実施例１と同様にして作製した。第１凹部１１については、Ｒ１が１５°であり、Ｒ２が２０°であり、第１断面における曲率半径が１３．１μｍであり、第２断面における曲率半径が２６．１μｍであり、深さＤが０．９μｍであり、幅Ａが１３．５５μｍであり、幅Ｂ１が１．９μｍであり、幅Ｂ２が４．４８μｍである図２に示す形状とし、ピッチを６．４μｍ〜１５μｍとし、平面視での全体面積における第１凹部の占有面積が８５％になるようにした。また、第２凹部１２については、Ｒ１が１５°であり、Ｒ２が２０°であり、第１断面における曲率半径が６．２μｍであり、第２断面における曲率半径が３．５μｍであり、深さＤが０．２μｍであり、幅Ａが３．２μｍであり、幅Ｂ１が０．３μｍであり、幅Ｂ２が１．２μｍである図２に示す形状とし、ピッチを１μｍ〜２０μｍとし、平面視での全体面積における第１凹部の占有面積が１５％になるようにした。
【００３１】
実施例３の反射部材について実施例１と同様に反射特性を調べたところ、図６に示すように、受光角が５°付近で反射率がピークとなり、ピークが正反射方向の３０°から小さい角度方向にシフトして、反射光が指向性を有しており、反射率が０〜３５°の広い範囲にあることから光拡散性能が優れていることが分かった。したがって、実施例３に係る反射部材は、優れた反射性能を発揮し、表示として見栄えが良いものとなっている。
【００３２】
（実施例４）
次のようなサイズを有する第１凹部１１及び第２凹部１２を備えた反射部材（実施例４）を実施例１と同様にして作製した。第１凹部１１については、Ｒ１が１５°であり、Ｒ２が２０°であり、第１断面における曲率半径が１３．１μｍであり、第２断面における曲率半径が２６．１μｍであり、深さＤが０．９μｍであり、幅Ａ１が２．９μｍであり、幅Ａ２が６．７μｍであり、幅Ｂ１が１．９μｍであり、幅Ｂ２が４．４８μｍである図３（ｂ）に示す形状とし、ピッチを５μｍ〜１０μｍとし、平面視での全体面積における第１凹部の占有面積が９０％になるようにした。また、第２凹部１２については、最大直径が２．０μｍであり、深さが０．１８μｍであり、曲率半径が２．９μｍである球面形状とし、ピッチを１．５μ〜１２μｍとし、平面視での全体面積における第２凹部の占有面積が１０％になるようにした。
【００３３】
実施例４の反射部材について実施例１と同様に反射特性を調べたところ、図６に示すように、受光角が５°付近で反射率がピークとなり、ピークが正反射方向の３０°から小さい角度方向にシフトして、反射光が指向性を有しており、反射率が０〜３５°の広い範囲にあることから光拡散性能が優れていることが分かった。したがって、実施例４に係る反射部材は、優れた反射性能を発揮し、表示として見栄えが良いものとなっている。
【００３４】
（実施例５）
次のようなサイズを有する第１凹部１１及び第２凹部１２を備えた反射部材（実施例５）を実施例１と同様にして作製した。第１凹部１１については、Ｒ１が１５°であり、Ｒ２が２０°であり、第１断面における曲率半径が１３．１μｍであり、第２断面における曲率半径が２６．１μｍであり、深さＤが０．９μｍであり、幅Ａ１が２．９μｍであり、幅Ａ２が６．７μｍであり、幅Ｂ１が１．９μｍであり、幅Ｂ２が４．４８μｍである図３（ｂ）に示す形状とし、ピッチを５μｍ〜１０μｍとし、平面視での全体面積における第１凹部の占有面積が９０％になるようにした。また、第２凹部１２については、Ｒ１が１５°であり、Ｒ２が２０°であり、第１断面における曲率半径が５．３μｍであり、第２断面における曲率半径が２．９μｍであり、深さＤが０．１８μｍであり、幅Ａ１が０．４μｍであり、幅Ａ２が１．３μｍであり、幅Ｂ１が０．２μｍであり、幅Ｂ２が１μｍである図３（ｂ）に示す形状とし、ピッチを１μｍ〜１２μｍとし、平面視での全体面積における第１凹部の占有面積が１０％になるようにした。
【００３５】
実施例５の反射部材について実施例１と同様に反射特性を調べたところ、図６に示すように、受光角が５°付近で反射率がピークとなり、ピークが正反射方向の３０°から小さい角度方向にシフトして、反射光が指向性を有しており、反射率が０〜３５°の広い範囲にあることから光拡散性能が優れていることが分かった。したがって、実施例５に係る反射部材は、優れた反射性能を発揮し、表示として見栄えが良いものとなっている。
【００３６】
（比較例）
次のようなサイズを有する第２凹部のみを備えた反射部材（比較例）を実施例１と同様にして作製した。第２凹部１２については、最大直径が７．６μｍであり、深さが０．６８μｍであり、曲率半径が１１μｍである球面形状とし、ピッチを３μ〜８μｍとし、平面視での全体面積における第２凹部の占有面積が９５％になるようにした。
【００３７】
比較例の反射部材について実施例１と同様に反射特性を調べたところ、図７に示すように、反射率のピークがブロードであり反射光が指向性を有しておらず、光拡散性能も低いことが分かった。
【００３８】
図８は、本発明の反射部材を用いた液晶表示装置を示す断面図である。図６に示す液晶表示装置は、互いに対向する一対のガラス基板２１，２２と、ガラス基板２１上に配置された反射部材２３と、一対のガラス基板２１，２２間に挟持された液晶層２６とから主に構成されている。この液晶表示装置においては、ガラス基板２１側の反射部材２３上に液晶制御層２４が設けられ、ガラス基板２２上に液晶制御層２５が設けられており、両液晶制御層２４，２５が対向している。液晶制御層２４，２５には、電極層、カラーフィルタ層、配向層などが含まれる。
【００３９】
このような液晶表示装置においては、矢印方向から光が入射され、ガラス基板２２、液晶制御層２５、液晶層２６、液晶制御層２４を通り、反射部材２３で反射されて、再び、液晶制御層２４、液晶層２６、液晶制御層２５、ガラス基板２２を通って外界に出射される。このとき、反射部材２３は、平面視方向の形状が略長軸方向に沿う直線部又は曲線部を有する略楕円形状である複数の第１凹部が設けられ、さらに第１凹部間に第２凹部が設けられているので、反射性能を向上させると共に、光拡散性能をも向上させることができる。したがって、この液晶表示装置は、優れた反射性能を発揮することができる。
【００４０】
本発明の反射部材は、反射型液晶表示装置及び半透過型液晶表示装置に適用することができる。
【００４１】
本発明は上記実施の形態に限定されず、種々変更して実施することが可能である。例えば、上記実施の形態で説明した数値や材質については特に制限はない。その他、本発明の目的の範囲を逸脱しない限りにおいて適宜変更することが可能である。
【図面の簡単な説明】
【００４２】
【図１】本発明の実施の形態に係る反射部材を示す概略平面図である。
【図２】第１凹部１１を示す拡大図であり、（ａ）は平面図であり、（ｂ）はＸ線に沿う断面図であり、（ｃ）はＹ線に沿う断面図である。
【図３】第１凹部１１の他の例を示す拡大図である。
【図４】（ａ），（ｂ）は、本発明の実施の形態に係る反射部材における第２凹部の平面視方向における形状の一例を示す図である。
【図５】本発明に係る反射部材の反射特性を調べるための測定方法を説明するための図である。
【図６】本発明に係る反射部材の反射率を示す特性図である。
【図７】本発明に係る反射部材の反射率を示す特性図である。
【図８】本発明の実施の形態に係る反射部材を用いた液晶表示装置の構成を示す断面図である。
【符号の説明】
【００４３】
１，２３  反射部材
１１  第１凹部
１２，１２ａ，１２ｂ  第２凹部
１２ｃ  直線部
２１，２２  ガラス基板
２４，２５  液晶制御層
２６  液晶層
【図１】
2007139897.tif 000003
【図２】
2007139897.tif 000004
【図３】
2007139897.tif 000005
【図４】
2007139897.tif 000006
【図５】
2007139897.tif 000007
【図６】
2007139897.tif 000008
【図７】
2007139897.tif 000009
【図８】
2007139897.tif 000010